(57)【要約】【課題】共用線の線間に存在する浮遊容量を介して音声信号や映像信号が伝送されることをなくしてインピーダンス低下による映像信号および音声信号の品質劣化を防止する。【解決手段】従来例の分岐器３におけるダイオードスイッチ３５ａ，３５ｂをツェナーダイオードＺＤ１ａ，ＺＤ２ａ，ＺＤ１ｂ，ＺＤ２ｂで構成する。閉結スイッチ２９ｃによりループ回路が開成されているときにはダイオードスイッチ３５ａの一方のツェナーダイオードＺＤ１ａのツェナー電圧と他方のツェナーダイオードＺＤ２ａの順方向電圧との和が映像信号および音声信号の信号電圧を下回ることがないから、共用線Ｌｄの浮遊容量Ｃｆを介して映像信号および音声信号が伝送されることはなく、インピーダンス低下による映像信号および音声信号の品質劣化が防止できる。【選択図】        図１
2006094396.tif 000002
【特許請求の範囲】
【請求項１】
集合住宅の共用玄関に配置され音声の入出力が可能な共用部通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、共用部装置は共用線の線間に直流電圧を印加する電源部を備え、住戸機は、共用部装置のカメラにより撮像された映像を表示するモニタと、共用部通話装置との間で音声通話が可能な住戸機通話装置とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線と、音声を伝送する音声信号および音声信号よりも高周波であって映像を伝送する映像信号とを周波数多重化した信号を伝送する共用線とからなり、分岐器は、住戸別線における共用線に挿入される一対のツェナーダイオードからなるダイオードスイッチを備え、各住戸機は、共用部装置による選択時に電源部との間で共用線を通るループ回路を閉成するように制御され非選択時にはループ回路を開放するように制御される閉結スイッチをそれぞれ備え、閉結スイッチによりループ回路が閉成されるとループ回路上のダイオードスイッチがオンしてなり、ダイオードスイッチの一方のツェナーダイオードがループ回路に対して順方向に挿入されるとともに他方のツェナーダイオードがループ回路に対して逆方向に挿入されることを特徴とする集合住宅用テレビ付きインターホンシステム。
【請求項２】
分岐器は、住戸別線における共用線に挿入され、映像信号の周波数に対するインピーダンスが音声信号の周波数に対するインピーダンスよりも高くなるインピーダンス素子を備えたことを特徴とする請求項１記載の集合住宅用テレビ付きインターホンシステム。
【請求項３】
分岐器は、住戸別線における共用線に挿入されて映像信号を伝送する分岐トランスと、分岐トランスの１次巻線と２次巻線との間に挿入され、映像信号の周波数に対するインピーダンスが音声信号の周波数に対するインピーダンスよりも高くなるインピーダンス素子とを有する伝送部を備えたことを特徴とする請求項１記載の集合住宅用テレビ付きインターホンシステム。
【請求項４】
分岐器は、住戸別線における共用線に挿入されて映像信号を伝送する分岐トランスと、分岐トランスの１次巻線の両端と２次巻線の両端との間にダイオードスイッチのツェナーダイオードと直列接続された状態でそれぞれ挿入され、映像信号の周波数に対するインピーダンスが音声信号の周波数に対するインピーダンスよりも高くなる一対のインピーダンス素子とを備えたことを特徴とする請求項１記載の集合住宅用テレビ付きインターホンシステム。
【請求項５】
分岐器は、ダイオードスイッチを介して幹線の共用線に接続される複数の伝送部を備えたことを特徴とする請求項３記載の集合住宅用テレビ付きインターホンシステム。
【請求項６】
ダイオードスイッチは、住戸別線の共用線に挿入されるとともに一対のツェナーダイオードのアノードにそれぞれアノードが接続された２つのツェナーダイオードを有することを特徴とする請求項１〜５の何れかに記載の集合住宅用テレビ付きインターホンシステム。
【発明の詳細な説明】
【技術分野】
【０００１】
本発明は、集合住宅の共用玄関に設置されカメラを備える共用部装置から各住戸にそれぞれ設置される住戸機を選択して呼び出すことにより、共用部装置と住戸機との間で通信路を確立し、通信路の確立された住戸機が共用部装置からの映像信号を受け取るとともに共用部装置との間で通話可能となる集合住宅用テレビ付きインターホンシステムに関するものである。
【背景技術】
【０００２】
従来から提供されている集合住宅用のテレビ付きインターホンシステムの構成例を図７に示す（特許文献１参照）。図示例では、集合住宅の共用玄関に設置される共用部装置（ロビーインターホン）１と、各住戸にそれぞれ配置される複数台の住戸機２とを備え、共用部装置１と住戸機２とが伝送線路を介して接続されている。伝送線路は、共用部装置１に接続される幹線Ｌ１と、各住戸機２にそれぞれ接続される住戸別線Ｌ２とを含み、幹線Ｌ１と各住戸別線Ｌ２との間にはそれぞれ分岐器３が介装される。
【０００３】
共用部装置１は、音声の入出力が可能な共用部通話装置１１と、来訪者を撮像するＴＶカメラであるカメラ１２と、来訪者により操作される選択装置１３とを備える。また、住戸機２は、音声の入出力が可能な住戸機通話装置２１と、カメラ１２により撮像された映像を表示するモニタ２２とを備える。選択装置１３は住戸番号を指定する番号キーと呼出釦とを備え、共用部装置１において選択装置１３の操作により住戸番号を選択して呼出釦を押下すると住戸番号に対応する住戸機２を選択したことになり、選択した住戸機２と共用部装置１との間で通信路が確立する。共用部装置１との通信路が確立した住戸機２では、住戸機通話装置２１を用いて共用部通話装置１１との間での通話が可能になるとともに、カメラ１２で撮像された映像をモニタ２２に表示することが可能になる。
【０００４】
伝送線路としては２対以上のペア線をシース内に備える多対ツイストペアケーブルを用いており、図示例では共用部通話装置１１と住戸機通話装置２１との間で音声信号を伝送するとともにカメラ１２により撮像した映像情報を含む映像信号をモニタに伝送する共用線Ｌｄと、選択装置１３により選択された住戸機２を指定する制御信号を伝送する制御線Ｌｃとにそれぞれペア線を用いている。つまり、図示例の伝送線路では２対のペア線を用いている。ここで、音声信号と映像信号と制御信号とは伝送中の信号形態が変化することがあるが、以下の説明では物理的な信号形態の変化によらず、情報内容が同じである信号を同名で呼ぶことにする。たとえば、後述するようにカメラ１２から出力された信号はＦＭ変調されるから、変調の前後では物理的な信号形態は変化するが、情報内容としてはカメラ１２で撮像した映像情報に着目しており、着目する情報内容には変化がないから、以下の説明では変調の前後の信号をいずれも映像信号と呼ぶ。音声信号および制御信号についても同様である。
【０００５】
共用部装置１において、共用部通話装置１１はマイクロホン１１ａおよびスピーカ１１ｂからなり、マイクロホン１１ａとスピーカ１１ｂとはそれぞれ増幅器１４ａ，１４ｂを介して音声回路１４ｃに接続されている。音声回路１４ｃは、２個の増幅器１４ａ，１４ｂと２線の共用線Ｌｄとの間に挿入するために２線４線変換回路を含んでおり、マイクロホン１１ａからの音声信号を共用線Ｌｄに送出し、共用線Ｌｄからの音声信号をスピーカ１１ｂ側に出力する機能を有する。また、カメラ１２から出力される映像信号は、ＦＭ変調回路１５ａにおいてＦＭ変調された後に、増幅器１５ｂおよび不平衡−平衡変換のための結合トランス１５ｃを介して共用線Ｌｄに送出される。共用部装置１には内部回路を制御するＣＰＵ１０が設けられ、ＣＰＵ１０には選択装置１３が接続されるとともに、制御線Ｌｃとの間のインタフェースとなる制御信号送受信回路１６が接続される。つまり、制御信号送受信回路１６は、ＣＰＵ１０から出力された制御信号を制御線Ｌｃに送出し、制御線Ｌｃから受信した制御信号をＣＰＵ１０に引き渡す機能を有する。共用部装置１の内部電源は、電源部１７によって商用電源（交流１００Ｖ）から生成される。
【０００６】
一方、住戸機２において、住戸機通話装置２１はマイクロホン２１ａおよびスピーカ２１ｂからなり、マイクロホン２１ａとスピーカ２１ｂとはそれぞれ増幅器２４ａ，２４ｂを介して音声回路２４ｃに接続されている。音声回路２４ｃは、２個の増幅器２４ａ，２４ｂと２線の共用線Ｌｄとの間に挿入するために２線４線変換回路を含んでおり、マイクロホン２１ａからの音声信号を共用線Ｌｄに送出し、共用線Ｌｄからの音声信号をスピーカ２１ｂ側に出力する機能を備えている。したがって、共用部装置１と住戸機２との間で共用線Ｌｄを通して音声信号を授受することができ、来訪者が共用部装置１を用いるとともに居住者が住戸機２を用いることによって、来訪者と居住者との間で音声通話が可能になる。
【０００７】
住戸機２に設けた音声回路２４ｃには、子器インタフェース２３および子器接続線Ｌ３を介してドアホン子器５が接続される。ドアホン子器５は集合住宅の各住戸の玄関先に配置されるものであってマイクロホンおよびスピーカを備え、子器インタフェース２３はドアホン子器５との通話のための音声双方向増幅回路や音声回路２４ｃを接続するための開閉路回路などを備える。したがって、ドアホン子器５と住戸機通話装置２１との間での通話が可能になっている。また、ドアホン子器５には呼出釦が設けられ、子器インタフェース２３ではドアホン子器５での呼出釦の操作時に呼出音を音声回路２４ｃに入力して、スピーカ２１ｂから送出させる機能も備える。ドアホン子器５の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【０００８】
住戸機２において、モニタ２２には液晶表示器あるいはＣＲＴが用いられる。共用線Ｌｄを通して住戸機２に入力される映像信号は、平衡−不平衡変換のための結合トランス２５ｃを介して増幅器２５ｂに入力され、増幅器２５ｂで増幅された後にＦＭ復調回路２５ａにおいてＦＭ復調される。ＦＭ復調回路２５ａから出力された映像信号は、モニタ２２に入力されることによってモニタ２２の画面に映像を表示する。つまり、共用部装置１のカメラ１２において撮像された来訪者の映像が住戸機２のモニタ２２に表示されるから、住戸内の居住者が来訪者を確認することができるのである。
【０００９】
ここで、上述のように音声信号と映像信号との両方で共用線Ｌｄを用いるために、共用部装置１および住戸機２にはそれぞれ多重分離回路１９，２９を設けている。共用部装置１と住戸機２とにそれぞれ用いている多重分離回路１９，２９はほぼ同構成であって、音声回路２４ｃと共用線Ｌｄとの間に挿入される低周波通過部１９ａ，２９ａと、結合トランス１５ｃ，２５ｃと共用線Ｌｄとの間に挿入される高周波通過部１９ｂ，２９ｂとからなる。低周波通過部１９ａ，２９ａは音声信号に対して低インピーダンスであって映像信号に対して高インピーダンスのものを用い、高周波通過部１９ｂ、２９ｂは音声信号に対して高インピーダンスであって映像信号に対して低インピーダンスのものを用いる。図示例では、低周波通過部１９ａ，２９ａとしてインダクタを用い、高周波通過部１９ｂ，２９ｂとしてコンデンサを用いている。
【００１０】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源部２７によって商用電源（交流１００Ｖ）から生成される。
【００１１】
上述のようにして共用部装置１の選択装置１３により選択された住戸機２が共用部装置１との間で通信路を確立している状態は、共用部装置１または住戸機２において通話終了が検出されると終了する。つまり、共用部装置１の共用部通話装置１１または住戸機２の住戸機通話装置２１にハンドセットを用いる場合にはハンドセットをオンフックすることによって通話終了を検知でき、ハンズフリーで通話する場合には適宜の操作釦を用いて通話終了を指示できる。
【００１２】
ところで、共用線Ｌｄおよび制御線Ｌｃは、分岐器３においては幹線Ｌ１と住戸別線Ｌ２とが直結されている。したがって、共用部装置１から送出された制御信号は制御線Ｌｃに接続されるすべての住戸機２に伝送される。ここに、住戸機２のＣＰＵ２０には個別にアドレス（たとえば、住戸番号）が設定されており、共用部装置１に設けた選択装置１３によってアドレスを選択することによって、アドレスを指定する制御信号をすべての住戸機２に伝送することが可能になっている。住戸機２のＣＰＵ２０は、制御信号に含まれるアドレスが自己のアドレスであれば内部回路を作動させるように構成されており、したがって、共用部装置１と選択された住戸機２との間でのみ通話可能にすることが可能になるとともに、選択された住戸機２でのみカメラ１２で撮像された来訪者をモニタ２２に表示することが可能になる。
【００１３】
ところで、住戸機２における多重分離回路２９の低周波通過部２９ａおよび高周波通過部２９ｂと共用線Ｌｄとの間には閉結スイッチ２９ｃが挿入されている。閉結スイッチ２９ｃは、ＣＰＵ２０により制御され、常時はオフであって低周波通過部２９ａおよび高周波通過部２９ｂを共用線Ｌｄから分離しているが、共用部装置１の選択装置１３により選択されるとオンになり共用部装置１との通話が終了するまでの間は低周波通過部２９ａおよび高周波通過部２９ｂを共用線Ｌｄに接続する。したがって、共用部装置１での操作により特定の住戸番号の住戸機２が選択されると、選択された住戸機２のみが共用線Ｌｄとの間で映像信号を受信するとともに音声信号を授受することができ、他の住戸機２では閉結スイッチ２９ｃがオフであって映像信号および音声信号に対する住戸別線Ｌ２のインピーダンスが高くなる。つまり、映像信号および音声信号の減衰が少なくなり伝送品質が向上する。
【００１４】
また、閉結スイッチ２９ｃの一端には抵抗Ｒが直列接続され、閉結スイッチ２９ｃと抵抗Ｒとの直列回路は、直流的には共用線Ｌｄを介して共用部装置１に設けた電源重畳部１８、さらに電源部１７の出力端間に接続される。ここに、住戸機２において映像信号の経路にはコンデンサを用いた高周波通過部２９ｂおよび結合トランス２５ｃが存在するから、共用線Ｌｄに印加された直流電源が映像信号を処理する回路に印加されることはないが、音声信号の経路にインダクタを用いた低周波通過部２９ａを挿入するだけでは、音声回路２４ｃに直流電圧が印加されることになって不都合である。そこで、音声回路２４ｃと低周波通過部２９ａとの間には直流カット用のコンデンサＣを挿入してある。
【００１５】
ところで、上記従来例で用いる分岐器３は、それぞれ一対のダイオードＤ１ａ，Ｄ２ａ、Ｄ１ｂ，Ｄ２ｂからなる２個のダイオードスイッチ３５ａ，３５ｂを備える。ダイオードスイッチ３５ａは住戸別線Ｌ２における共用線Ｌｄの各線路にそれぞれダイオードＤ１ａ，Ｄ２ａを挿入してあり、ダイオードスイッチ３５ｂは幹線Ｌ１における住戸別線Ｌ２の分岐点に対して共用部装置１から遠い方の共用線Ｌｄの各線路にそれぞれダイオードＤ１ｂ，Ｄ２ｂを挿入してある。ダイオードスイッチ３５ａにおいて、ダイオードＤ１ａは幹線Ｌ１側にアノードが接続され、ダイオードＤ２ａは幹線Ｌ１側にカソードが接続される。また、ダイオードスイッチ３５ｂのダイオードＤ１ｂはダイオードＤ１ａとアノードが共通接続され、ダイオードＤ２ｂはダイオードＤ２ａとカソードが共通接続される。各ダイオードＤ１ａ，Ｄ２ａ，Ｄ１ｂ，Ｄ２ｂには、たとえばＰＩＮダイオードを用いている。なお、図７においては幹線Ｌ１および住戸別線Ｌ２を分岐器３に接続するための端子３６〜３８を図示している。
【００１６】
以下に上記従来例の要部の動作を簡単に説明する。いま、共用部装置１に設けた選択装置１３によっていずれかの住戸機２が選択されたとすると、選択された住戸機２ではＣＰＵ２０の制御下において閉結スイッチ２９ｃをオンにする。閉結スイッチ２９ｃがオンになると共用部装置１の電源部１７の出力端間に共用線Ｌｄを介して抵抗Ｒが接続され直流的にループ回路が閉じるから、ループ回路上のダイオードＤ１ａ，Ｄ２ａ，Ｄ１ｂ，Ｄ２ｂがオンになる。つまり、ダイオードスイッチ３５ａがオンになって共用部装置１に選択された住戸機２に接続されている住戸別線Ｌ２が幹線Ｌ１に接続され、共用部装置１に選択された住戸機２のみが共用線Ｌｄを介して共用部装置１に接続され、共用部装置１と住戸機２との間で映像信号および音声信号の伝送が可能になるのである。このように、閉結スイッチ２９ｃがオンになった住戸機２と共用部装置１との間の分岐器３におけるダイオードスイッチ３５ａがオンになり、周波数多重化されている映像信号および音声信号を分岐器３に通過させることが可能になる。なお、共用部装置１に選択されていない住戸機２では閉結スイッチ２９ｃはオフに保たれるからダイオードスイッチ３５ａはオフに保たれ、共用線Ｌｄに関しては、当該住戸機２に接続されている住戸別線Ｌ２が幹線Ｌ１に接続されることはない。また、当該住戸機２を接続している住戸別線Ｌ２と幹線Ｌ１との接続点に対して共用部装置１よりも遠方側のダイオードスイッチ３５ｂはオフに保たれるから、遠方側における幹線Ｌ１の状態は共用部装置１と住戸別線Ｌ２との間のインピーダンスに影響しない。
【００１７】
上記従来例においては、上述のように共用部装置１と住戸機２とは共用線Ｌｄ上では一対一に接続されるから、複数台の住戸機２が共用部装置１に接続されることによる共用線Ｌｄのインピーダンスの低下がなく、映像信号および音声信号を高品質で伝送することが可能になる。
【特許文献１】特開２００４−１８６８３５号公報
【発明の開示】
【発明が解決しようとする課題】
【００１８】
しかしながら上記従来例において、ダイオードスイッチ３５ａ，３５ｂがオフのときでも幹線Ｌ１および住戸別線Ｌ２の共用線Ｌｄに存在する浮遊容量Ｃｆによって線間が交流的に短絡されてしまうため（図８参照）、音声信号又は映像信号の交流信号電圧のピーク値がダイオードＤ１ａ，Ｄ２ａ，Ｄ１ｂ，Ｄ２ｂの順方向電圧降下ＶF（約０．６〜０．７Ｖ）の２個分を越える場合、閉結スイッチ２９ｃのオン／オフに関わらず、浮遊容量Ｃｆを介してダイオードスイッチ３５ａ，３５ｂが交流的にオンとなってしまう。その結果、共用部装置１と複数の住戸機２が同時に接続されることとなり、共用部装置１と住戸別線Ｌ２との間のインピーダンスが整合しなくなってしまう。
【００１９】
本発明は上記事情に鑑みて為されたものであり、その目的は、共用線の線間に存在する浮遊容量を介して音声信号や映像信号が伝送されることをなくしてインピーダンス低下による映像信号および音声信号の品質劣化が防止できる集合住宅用テレビ付きインターホンシステムを提供することにある。
【課題を解決するための手段】
【００２０】
請求項１の発明は、上記目的を達成するために、集合住宅の共用玄関に配置され音声の入出力が可能な共用部通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、共用部装置は共用線の線間に直流電圧を印加する電源部を備え、住戸機は、共用部装置のカメラにより撮像された映像を表示するモニタと、共用部通話装置との間で音声通話が可能な住戸機通話装置とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線と、音声を伝送する音声信号および音声信号よりも高周波であって映像を伝送する映像信号とを周波数多重化した信号を伝送する共用線とからなり、分岐器は、住戸別線における共用線に挿入される一対のツェナーダイオードからなるダイオードスイッチを備え、各住戸機は、共用部装置による選択時に電源部との間で共用線を通るループ回路を閉成するように制御され非選択時にはループ回路を開放するように制御される閉結スイッチをそれぞれ備え、閉結スイッチによりループ回路が閉成されるとループ回路上のダイオードスイッチがオンしてなり、ダイオードスイッチの一方のツェナーダイオードがループ回路に対して順方向に挿入されるとともに他方のツェナーダイオードがループ回路に対して逆方向に挿入されることを特徴とする。
【００２１】
この発明によれば、閉結スイッチによりループ回路が開成されているときにはダイオードスイッチの一方のツェナーダイオードのツェナー電圧と他方のツェナーダイオードの順方向電圧との和が映像信号および音声信号の信号電圧を下回らない限り共用線の浮遊容量を介して映像信号および音声信号が伝送されることはなく、インピーダンス低下による映像信号および音声信号の品質劣化が防止できる。
【００２２】
請求項２の発明は、請求項１の発明において、分岐器は、住戸別線における共用線に挿入され、映像信号の周波数に対するインピーダンスが音声信号の周波数に対するインピーダンスよりも高くなるインピーダンス素子を備えたことを特徴とする。
【００２３】
この発明によれば、インピーダンス素子によって映像信号に対する住戸別線における共用線のインピーダンスを大きくしているため、閉結スイッチによりループ回路が開成されているときにツェナーダイオードのアノードとカソード間に存在する容量成分を介して映像信号が住戸別線の共用線に伝送されることがなく、幹線における共用線を伝送する映像信号の劣化が防止できる。
【００２４】
請求項３の発明は、請求項１の発明において、分岐器は、住戸別線における共用線に挿入されて映像信号を伝送する分岐トランスと、分岐トランスの１次巻線と２次巻線との間に挿入され、映像信号の周波数に対するインピーダンスが音声信号の周波数に対するインピーダンスよりも高くなるインピーダンス素子とを有する伝送部を備えたことを特徴とする。
【００２５】
この発明によれば、分岐トランスを介して映像信号を伝送することにより、映像信号の周波数においては幹線側から住戸別線側をみたときのインピーダンスが高くなるから、閉結スイッチによりループ回路が開成されているときにツェナーダイオードのアノードとカソード間に存在する容量成分を介して伝送される映像信号を抑制することができ、幹線における共用線を伝送する映像信号の劣化が防止できるとともに、幹線側と住戸別線側とで共用線のインピーダンスを整合させて映像信号の品質劣化が防止できる。
【００２６】
請求項４の発明は、請求項１の発明において、分岐器は、住戸別線における共用線に挿入されて映像信号を伝送する分岐トランスと、分岐トランスの１次巻線の両端と２次巻線の両端との間にダイオードスイッチのツェナーダイオードと直列接続された状態でそれぞれ挿入され、映像信号の周波数に対するインピーダンスが音声信号の周波数に対するインピーダンスよりも高くなる一対のインピーダンス素子とを備えたことを特徴とする。
【００２７】
この発明によれば、分岐トランスを介して映像信号を伝送することにより、映像信号の周波数においては幹線側から住戸別線側をみたときのインピーダンスが高くなるから、閉結スイッチによりループ回路が開成されているときにツェナーダイオードのアノードとカソード間に存在する容量成分を介して伝送される映像信号を抑制することができ、幹線における共用線を伝送する映像信号の劣化が防止できるとともに、幹線側と住戸別線側とで共用線のインピーダンスを整合させて映像信号の品質劣化が防止でき、さらに映像信号がダイオードスイッチを介さずに伝送されるためにツェナーダイオードのオン抵抗による映像信号の減衰を防ぐことができる。
【００２８】
請求項５の発明は、請求項３の発明において、分岐器は、ダイオードスイッチを介して幹線の共用線に接続される複数の伝送部を備えたことを特徴とする。
【００２９】
この発明によれば、ダイオードスイッチを追加せずに共用線を複数分岐することができる。
【００３０】
請求項６の発明は、請求項１〜５の何れかの発明において、ダイオードスイッチは、住戸別線の共用線に挿入されるとともに一対のツェナーダイオードのアノードにそれぞれアノードが接続された２つのツェナーダイオードを有することを特徴とする。
【００３１】
この発明によれば、住戸別線の共用線における平衡度が向上する。
【発明の効果】
【００３２】
本発明によれば、閉結スイッチによりループ回路が開成されているときにはダイオードスイッチの一方のツェナーダイオードのツェナー電圧と他方のツェナーダイオードの順方向電圧との和が映像信号および音声信号の信号電圧を下回らない限り共用線の浮遊容量を介して映像信号および音声信号が伝送されることはなく、インピーダンス低下による映像信号および音声信号の品質劣化が防止できるという効果がある。
【発明を実施するための最良の形態】
【００３３】
以下、本発明を実施形態により詳細に説明する。但し、以下の各実施形態において、共用部装置１と住戸機２は従来例と共通であるから図示並びに説明を省略し、本発明の特徴である分岐器３についてのみ説明する。
【００３４】
（実施形態１）
本実施形態は、図１に示すように、従来例の分岐器３におけるダイオードスイッチ３５ａ，３５ｂをツェナーダイオードＺＤ１ａ，ＺＤ２ａ，ＺＤ１ｂ，ＺＤ２ｂで構成した点に特徴がある。すなわち、ダイオードスイッチ３５ａは住戸別線Ｌ２における共用線Ｌｄに挿入される一対のツェナーダイオードＺＤ１ａ，ＺＤ２ａからなり、ダイオードスイッチ３５ｂは幹線Ｌ１における共用線Ｌｄに挿入される一対のツェナーダイオードＺＤ１ｂ，ＺＤ２ｂからなる。但し、各一対のツェナーダイオードＺＤ１ａ，ＺＤ２ａ，ＺＤ１ｂ，ＺＤ２ｂは閉結スイッチ２９ｃがオンのときに直流的に閉じるループ回路上で互いのカソード同士およびアノード同士が直列に接続される向きで共用線Ｌｄに挿入されている。また、ダイオードスイッチ３５ａ，３５ｂを構成するツェナーダイオードＺＤ１ａ，ＺＤ２ａ，ＺＤ１ｂ，ＺＤ２ｂにおいては、ループ回路が閉じて直流電圧が重畳されているときに映像信号および音声信号の下側のピーク値よりもツェナー電圧と順方向電圧との和が低くなり、且つループ回路が閉じていないときに映像信号および音声信号の両側のピーク値よりもツェナー電圧と順方向電圧との和が高くなるようにツェナー電圧が設定されている。
【００３５】
以下に本実施形態の要部の動作を簡単に説明する。いま、共用部装置１に設けた選択装置１３によっていずれかの住戸機２が選択されたとすると、選択された住戸機２ではＣＰＵ２０の制御下において閉結スイッチ２９ｃをオンにする。閉結スイッチ２９ｃがオンになると共用部装置１の電源部１７の出力端間に共用線Ｌｄを介して抵抗Ｒが接続され直流的にループ回路が閉じるから、ループ回路上のツェナーダイオードＺＤ１ａ，ＺＤ２ａが電源重畳部１８を介して電源部１７から重畳される直流電圧によってオンになる。つまり、ダイオードスイッチ３５ａがオンになって共用部装置１に選択された住戸機２に接続されている共用線Ｌｄが幹線Ｌ１に接続され、さらに、この共用線Ｌｄの幹線下流（接続上、共用部装置１から離れる側）に介装されるダイオードスイッチ３５ｂがオフのままだから、共用部装置１に選択された住戸機２のみが共用線Ｌｄを介して共用部装置１に接続され、共用部装置１と一台の住戸機２との間で映像信号および音声信号の伝送が可能になるのである。ここで、共用部装置１に選択されていない住戸機２においては、ループ回路が閉じていないために電源部１７から重畳される直流電圧が印加されず、しかも、ループ回路上に挿入された一対のツェナーダイオードＺＤ１ａ，ＺＤ２ａのツェナー電圧および順方向電圧の和が映像信号および音声信号のピーク電圧よりも高くなるように設定されているので、例え共用線Ｌｄの線間が浮遊容量Ｃｆで交流的に短絡されていたとしても映像信号および音声信号が伝送されることはない。
【００３６】
上述のように、閉結スイッチ２９ｃがオンになった住戸機２と共用部装置１との間の分岐器３におけるダイオードスイッチ３５ａがオンになるとともに、この分岐器３と共用部装置１との間のダイオードスイッチ３５ｂがオフのままであり、周波数多重化されている映像信号および音声信号を分岐器３に通過させることが可能になる。一方、共用部装置１に選択されていない住戸機２では閉結スイッチ２９ｃがオフに保たれるから、例え共用線Ｌｄの線間が浮遊容量Ｃｆを介して交流的に短絡していてもダイオードスイッチ３５ａはオフに保たれ、当該住戸機２に接続されている住戸別線Ｌ２が幹線Ｌ１に接続されることはなく、インピーダンス低下による映像信号および音声信号の品質劣化が防止できる。また、当該住戸機２を接続している住戸別線Ｌ２と幹線Ｌ１との接続点に対して共用部装置１よりも遠方側のダイオードスイッチ３５ｂも同様にオフに保たれるから、遠方側における幹線Ｌ１の状態は共用部装置１と住戸別線Ｌ２との間のインピーダンスに影響しない。
【００３７】
上述のように、本実施形態においては、閉結スイッチ２９ｃによりループ回路が開成されているときにはダイオードスイッチ３５ａ，３５ｂの一方のツェナーダイオードＺＤ１ａ，ＺＤ１ｂ（又はＺＤ２ａ，ＺＤ２ｂ）のツェナー電圧と他方のツェナーダイオードＺＤ２ａ，ＺＤ２ｂ（又はＺＤ１ａ，ＺＤ１ｂ）の順方向電圧との和が映像信号および音声信号の信号電圧を下回ることがないから、共用線Ｌｄの浮遊容量Ｃｆを介して映像信号および音声信号が伝送されることはなく、インピーダンス低下による映像信号および音声信号の品質劣化が防止できるものである。
【００３８】
（実施形態２）
本実施形態は、図２に示すように、映像信号の周波数に対するインピーダンスが音声信号の周波数に対するインピーダンスよりも高くなるインピーダンス素子（例えば、インダクタＸ１，Ｘ２）を、共用線Ｌｄに対してダイオードスイッチ３５ａを構成するツェナーダイオードＺＤ１ａ，ＺＤ２ａと直列に挿入した点に特徴がある。
【００３９】
実施形態１においては、ダイオードスイッチ３５ａがオフのときであっても、ツェナーダイオードＺＤ１ａ，ＺＤ２ａのアノードとカソードとの間に存在する容量成分を介して周波数の高い映像信号が流れてしまい、映像信号の周波数帯域では共用部装置１と複数の住戸機２とが同時に接続されることとなり、幹線Ｌ１側と住戸別線Ｌ２側とで共用線Ｌｄのインピーダンスが整合しなくなって幹線Ｌ１側の映像信号が減少してしまう虞がある。
【００４０】
そこで、本実施形態においては、共用線Ｌｄに対してダイオードスイッチ３５ａを構成するツェナーダイオードＺＤ１ａ，ＺＤ２ａと直列にインダクタＸ１，Ｘ２を挿入し、映像信号の周波数帯域における住戸別線Ｌ２の共用線ＬｄのインピーダンスをインダクタＸ１，Ｘ２で大きくしている。
【００４１】
上述のように、本実施形態では、インダクタＸ１，Ｘ２によって映像信号に対する住戸別線Ｌ２における共用線Ｌｄのインピーダンスを大きくしているため、閉結スイッチ２９ｃによりループ回路が開成されているときにツェナーダイオードＺＤ１ａ，ＺＤ２ａのアノードとカソード間に存在する容量成分を介して映像信号が住戸別線Ｌ２の共用線Ｌｄに伝送されることがなく、幹線Ｌ１における共用線Ｌｄを伝送する映像信号の劣化が防止できる。また、ダイオードスイッチ３５ｂを幹線Ｌ１側の共用線Ｌｄに挿入する場合、分岐器３の接続台数が増加するにつれてダイオードスイッチ３５ｂにおける電圧降下の影響で共用線Ｌｄに重畳される直流電圧が低下してしまうが、本実施形態においては、映像信号についてインダクタＸ１，Ｘ２を介して住戸別線Ｌ２の共用線Ｌｄを高インピーダンス分岐しているために幹線Ｌ１側のダイオードスイッチ３５ｂを省略することができ、分岐器３が増加しても共用部装置１の電源部１７から重畳する直流電圧を大きくする必要がなく、無駄な電力消費を抑えることができる。
【００４２】
（実施形態３）
実施形態２においては、住戸別線Ｌ２の共用線ＬｄにインダクタＸ１，Ｘ２を挿入しているため、幹線Ｌ１側と住戸別線Ｌ２側とで共用線Ｌｄのインピーダンス整合を保つことが困難となり、映像信号の品質が劣化してしまう虞がある。
【００４３】
そこで本実施形態においては、図３に示すように、住戸別線Ｌ１における共用線Ｌｄに挿入されて映像信号を伝送する分岐トランスＴと、分岐トランスＴの１次巻線ｎ１と２次巻線ｎ２との間に挿入されるインダクタＸ１，Ｘ２とを有する伝送部３９を分岐器３に備えており、この点に本実施形態の特徴がある。
【００４４】
分岐トランスＴの１次巻線ｎ１は、それぞれ抵抗Ｒ１，Ｒ２並びに直流カット用のコンデンサＣ１，Ｃ２を介してツェナーダイオードＺＤ１ａ，ＺＤ２ａのアノードに接続され、２次巻線ｎ２は、直流カット用のコンデンサＣ３，Ｃ４を介して端子３６に接続される。また、インダクタＸ１，Ｘ２は、ツェナーダイオードＺＤ１ａ，ＺＤ２ａのアノードに一端が接続され、他端が端子３６に接続されている。抵抗Ｒ１，Ｒ２は共用線Ｌｄの特性インピーダンスよりも十分に大きいインピーダンス値を有し、幹線Ｌ１側の共用線Ｌｄの特性インピーダンスに影響を与えずに映像信号の一部を住戸別線Ｌ２側の共用線Ｌｄに分岐させることが可能である。また分岐トランスＴは２次側の特性インピーダンスが住戸別線Ｌ２の共用線Ｌｄの特性インピーダンスと等しくなるように巻数比が調整されている。
【００４５】
以下に本実施形態の要部の動作を簡単に説明する。選択された住戸機２で閉結スイッチ２９ｃがオンになると直流的にループ回路が閉じてダイオードスイッチ３５ａがオンになり、共用部装置１に選択された住戸機２に接続されている住戸別線Ｌ２が幹線Ｌ１に接続され、映像信号が伝送部３９における分岐トランスＴを介して住戸機２に伝送されるとともに、音声信号が伝送部３９におけるインダクタＸ１，Ｘ２を介して共用部装置１と住戸機２との間を伝送される。一方、選択されていない住戸機２では閉結スイッチ２９ｃがオフであるからループ回路が直流的に開成されているためにダイオードスイッチ３５ａがオフになり、周波数の低い音声信号はダイオードスイッチ３５ａで阻止される。これに対して周波数の高い映像信号はツェナーダイオードＺＤ１ａ，ＺＤ２ａのアノード−カソード間に存在する容量成分を介して伝送部３９に伝送されてしまうが、伝送部３９においては分岐トランスＴによってインピーダンスを整合させているから、ダイオードスイッチ３５ａがオフの時においてもインピーダンス低下による映像信号の品質劣化を抑えることができる。
【００４６】
而して、本実施形態においては、分岐トランスＴを介して映像信号を伝送することにより、映像信号の周波数においては幹線Ｌ１側から住戸別線Ｌ２側をみたときのインピーダンスが高くなるから、閉結スイッチ２９ｃによりループ回路が開成されているときにツェナーダイオードＺＤ１ａ，ＺＤ２ａのアノードとカソード間に存在する容量成分を介して伝送される映像信号を抑制することができ、幹線Ｌ１における共用線Ｌｄを伝送する映像信号の劣化が防止できるとともに、幹線Ｌ１側と住戸別線Ｌ２側とで共用線Ｌｄのインピーダンスを整合させて映像信号の品質劣化が防止できる。
【００４７】
尚、図４に示すようにダイオードスイッチ３５ａを介して幹線Ｌ１の共用線Ｌｄに接続される複数の伝送部３９を設ければ、ダイオードスイッチ３５ａを追加せずに、１台の分岐器３から複数台の住戸機２へ共用線Ｌｄを分岐させることができる。
【００４８】
（実施形態４）
実施形態３においては、ツェナーダイオードＺＤ１ａ，ＺＤ２ａのオン抵抗（数Ω程度）によって映像信号が多少減衰してしまう。
【００４９】
そこで本実施形態においては、図５に示すように、ダイオードスイッチ３５ａを構成するツェナーダイオードＺＤ１ａ，ＺＤ２ａをインダクタＸ１，Ｘ２と直列に接続しており、この点に本実施形態の特徴がある。尚、他の構成は実施形態３と共通であるから説明は省略する。
【００５０】
而して、本実施形態においては、映像信号がダイオードスイッチ３５ａを介さずに伝送されるため、ツェナーダイオードＺＤ１ａ，ＺＤ２ａのオン抵抗による映像信号の減衰を抑えることができるものである。
【００５１】
ところで、図６に示すようにツェナーダイオードＺＤ１ａ，ＺＤ２ａのアノードにアノードが接続されるとともにカソードが端子３６に接続される一対のツェナーダイオードＺＤ１ｃ，ＺＤ２ｃをダイオードスイッチ３５ａに追加すれば、住戸別線Ｌ２の共用線Ｌｄにおける平衡度を向上させることができる。但し、この構成は本実施形態に限らず実施形態１〜３の何れにおいても同様の効果を奏する。
【図面の簡単な説明】
【００５２】
【図１】実施形態１における分岐器のブロック図である。
【図２】実施形態２における分岐器のブロック図である。
【図３】実施形態３における分岐器のブロック図である。
【図４】同上における他の分岐器のブロック図である。
【図５】実施形態４における分岐器のブロック図である。
【図６】同上における他の分岐器のブロック図である。
【図７】従来例のブロック図である。
【図８】同上の説明図である。
【符号の説明】
【００５３】
３  分岐器
３５ａ  ダイオードスイッチ
ＺＤ１ａ，ＺＤ２ａ  ツェナーダイオード
Ｌ１  幹線
Ｌ２  住戸別線
Ｌｄ  共用線
【図１】
2006094396.tif 000003
【図２】
2006094396.tif 000004
【図３】
2006094396.tif 000005
【図４】
2006094396.tif 000006
【図５】
2006094396.tif 000007
【図６】
2006094396.tif 000008
【図７】
2006094396.tif 000009
【図８】
2006094396.tif 000010